(57)【要約】【課題】この発明は、非開削工法による既設管の拡径方法およびそれに使用する拡開工具に関する。【解決手段】中央に設けられ外周にねじを有する支軸部と、該支軸部と交差して伸びると共に中央で支軸部に螺合して支軸部に沿って昇降可能な昇降アームと、該昇降アームに枢着されると共に先端に既設管の割れ目に沿った対向する縁部に掛止められる爪部を有する作動アームとからなる拡開工具を用い、前記支軸部の先端を切断拡径具による拡径の屈曲部に対応する外壁に衝合させ、前記爪部を既設管の一対の縁部に掛止め、前記支軸部を回転させることで既設管を前記支軸部の先端を屈曲部として管径方向外方側に相対変位させて割れ目を拡開してなることを特徴とする。【選択図】図１
2015178137.tif 000002
【特許請求の範囲】
【請求項１】
埋設された既設管内に切断拡径具を挿入して軸線方向に進行させ、既設管の内壁の一端を切り裂くと共に拡径して新設管を挿入して更新する非開削工法により新設管に被覆する既設管の割れ目を拡開する方法であって、
中央に設けられ外周にねじを有する支軸部と、該支軸部と交差して伸びると共に中央で支軸部に螺合して支軸部に沿って昇降可能な昇降アームと、該昇降アームに枢着されると共に先端に既設管の割れ目に沿った対向する縁部に掛止められる爪部を有する作動アームとからなる拡開工具を用い、
前記支軸部の先端を切断拡径具による拡径の屈曲部に対応する外壁に衝合させ、前記爪部を既設管の一対の縁部に掛止め、前記支軸部を回転させることで既設管を前記支軸部の先端を屈曲部として管径方向外方側に相対変位させて割れ目を拡開してなることを特徴とする新設管を被覆した既設管の割れ目拡開方法。
【請求項２】
切断拡径具により既設管に割れ目と対向する位置にガイド溝が形成される場合に、
支軸部の先端を既設管の外壁でガイド溝に対応する位置に衝合させてなることを特徴とする請求項１に記載の新設管を被覆した既設管の割れ目拡開方法。
【請求項３】
拡開工具の昇降アームと作動アームとの間にリンク部材が介設されており、リンク部材を介して昇降アームと作動アームが枢着されていることを特徴とする請求項１または２に記載の既設管の割れ目拡開方法。
【請求項４】
請求項１から３のいずれかの新設管を被覆した既設管の割れ目拡開方法に使用する拡開工具であって、
拡開工具が、中央に設けられ外周にねじを有する支軸部と、該支軸部と交差して伸びると共に中央で支軸部に螺合して支軸部に沿って昇降可能な昇降アームと、該昇降アームに枢着されると共に先端に既設管の割れ目の開口に沿った対向する縁部に掛止められる爪部を有する作動アームとからなっていることを特徴とする拡開工具。
【請求項５】
拡開工具の昇降アームと作動アームとの間にリンク部材が介設されており、リンク部材を介して昇降アームと作動アームが枢着されていることを特徴とする請求項４に記載の拡開工具。
【発明の詳細な説明】
【技術分野】
【０００１】
本発明は、埋設された既設管を非開削工法により切り裂いて、更新された新設管を保護することになった既設管を、更に拡径して新設管の工事をしやすくした非開削工法による既設管の拡径方法およびそれに使用する拡開工具に関する。
【背景技術】
【０００２】
埋設された既設管をそのままで新設管に更新する非開削工法では、入れ替え範囲の既設管の一端側から挿入した切断拡径具を移動させて、前記既設管を延出方向に沿って切断しながら、切断された管壁部分を管径方向外方側に相対変位させて拡径させ、広がった管壁部分の内側に新設管を引き込んで、埋設管を更新している。
そして、上記新設管に管工事を行う場合には、特開平１１−９４１２７号のパイプスプリッター工法適用ガス管路における旧鋼管切除方法及びその際に使用されるスペーサー治具に開示されたように切り裂かれた既設管の管軸方向に形成された割れ目から工具を差し込んで前記既設管と新設管間との間に隙間を作ってスペーサ冶具を挿入したり、特開２０１１−３３０５２号のスペーサー冶具およびこれを用いた既設管切除方法に示すように切り裂かれた既設管と新設管の間にスペーサー冶具を押し込んで前記既設管を切断したり、既設管を新設管から引き剥がしたりする必要がある。
しかし、切断拡径具による拡径部分が摩耗等によりすり減って小さくなっていたり、既設管の径に比して必要な大きさに設定されていない場合などには、前記既設管の拡径が小さく、前記新設管に管工事する際に既設管と新設管間とが接近していて、差し込んだ工具により新設管が損傷したり、スペーサー冶具を挿入できないなどの不具合があった。
【先行技術文献】
【特許文献】
【０００３】
【特許文献１】特開平１１−９４１２７号公報
【特許文献２】特開２０１１−３３０５２号公報
【発明の概要】
【発明が解決しようとする課題】
【０００４】
この発明は上記事情に鑑みて創案されたものであって、その主たる課題は、新設管を管工事する際に、切り裂かれた既設管の切り裂かれた割れ目を広げることで、前記既設管を新設管から引きはがしたり、既設管と新設管の間にスペーサー冶具を挿入しやすくした非開削工法による既設管の拡径方法およびそれに使用する拡開工具を提供することにある。
【課題を解決するための手段】
【０００５】
上記課題を解決するために、請求項１の発明では、
埋設された既設管内に切断拡径具を挿入して軸線方向に進行させ、既設管の内壁の一端を切り裂くと共に拡径して新設管を挿入して更新する非開削工法により新設管に被覆する既設管の割れ目を拡開する方法であって、
中央に設けられ外周にねじを有する支軸部と、該支軸部と交差して伸びると共に中央で支軸部に螺合して支軸部に沿って昇降可能な昇降アームと、該昇降アームに枢着されると共に先端に既設管の割れ目に沿った対向する縁部に掛止められる爪部を有する作動アームとからなる拡開工具を用い、
前記支軸部の先端を切断拡径具による拡径の屈曲部に対応する外壁に衝合させ、前記爪部を既設管の一対の縁部に掛止め、前記支軸部を回転させることで既設管を前記支軸部の先端を屈曲部として管径方向外方側に相対変位させて割れ目を拡開してなることを特徴とする。
請求項２の発明では、
既設管に割れ目と対向する位置にガイド溝が形成される場合には、
前記支軸部の先端を既設管の外壁でガイド溝に対応する位置に衝合させてなることを特徴とする。
請求項３の発明では、
拡開工具の昇降アームと作動アームとの間にリンク部材が介設されており、リンク部材を介して昇降アームと作動アームが枢着されていることを特徴とする。
【０００６】
請求項４の発明では、
請求項１または２の新設管を被覆した既設管の割れ目拡開方法に使用する拡開工具であって、
拡開工具が、中央に設けられ外周にねじを有する支軸部と、該支軸部と交差して伸びると共に中央で支軸部に螺合して支軸部に沿って昇降可能な昇降アームと、該昇降アームに枢着されると共に先端に既設管の割れ目に沿った対向する縁部に掛止められる爪部を有する作動アームとからなっていることを特徴とする。
請求項５の発明では、
拡開工具の昇降アームと作動アームとの間にリンク部材が介設されており、リンク部材を介して昇降アームと作動アームが枢着されていることを特徴とする。
【発明の効果】
【０００７】
非開削工法により切り裂かれた既設管は、切断拡径具により、既設管の外壁で既設管の拡径における屈曲部に対応する個所（ガイド溝が形成される場合にはガイド溝）に対応する位置に拡開工具の支軸部を配置し、両側に設けたアームの先端の爪部を既設管の割れ目の両端側に掛止め、前記アームを変位させて割れ目の両端を広げることで、梃子作用による軽い力で、切断拡径具と同様にガイド溝を中心として既設管の割れ目を容易に広げることができる。
【図面の簡単な説明】
【０００８】
【図１】既設管の割れ目を拡開して広げて一部を切除して、露出した新設管に分岐管を取付けた状態の参考斜視図ある。
【図２】非開削工法に使用する切断拡径具の一例を示す側面図である。
【図３】切断拡径具のカッターで既設管にガイド溝と割れ目を形成する状態を示す断面図である。
【図４】切断拡径具の拡径具で切り裂かれた既設管を拡径する状態を示す断面図である。
【図５】拡開工具のセット状態を示す正面図である。
【図６】拡開工具を使用して既設管の割れ目を拡開する状態を示す正面図である。
【図７】拡開工具の使用状態を示す側面図である。
【図８】拡開工具の異なる実施例を示す正面図である。
【発明を実施するための形態】
【０００９】
以下に、この発明の非開削工法（スプリッター工法）による既設管１の拡径方法およびそれに使用する拡開工具について、図面を参照しながら説明する。
ここで、既設管１を埋設したままで新設管（ＰＥ管）５に更新する非開削工法は、従来と同様であり図示を省略する。
【００１０】
入れ替え範囲の既設管１の一端側から内部に挿入した切断拡径具２を、既設管１の軸方向に図示しないパイプやワイヤ等で牽引して移動させながら、切断拡径具２の前部２Ａに設けられて管直径方向に対峙して配置された一方のガイド溝用のカッター（ローラ）３で、既設管１の内壁面貫通せずに軸方向に伸びるガイド溝６を刻設し、他方の切り裂き用のカッター４で前記既設管１をガイド溝６と同一方向に切断して切り裂いていき、後部２Ｂに設けられた拡径具８で前記ガイド溝６を中心にして既設管１の管壁部分を管径方向外方側に相対変位させて拡径させながら割れ目７を広げ、後続する新設管５を前記既設管１の広がった管壁部分の内側に引き込んで、埋設管を更新している。
【００１１】
前記非開削工法で使用される切断拡径具２の一例を図２に示すと、筒状の前部２Ａにカッター３、４が複数並んでおり、後部２Ｂに拡径具８を設けた構成からなっており、前記カッターは、図中上方にガイド溝形成用のカッター（ローラ）３が配置されており、図中下方に切り裂き用のカッター４が配置されている。
【００１２】
また、拡径具８は、前記切断された既設管１をガイド溝６を屈曲部として管径方向外方側に相対変位させて左右外方へ拡径するものである（図３、図４参照）。
この発明では、切断拡径具２の構成は、図示例に限定されるものではなく、既設管１の内壁面にガイド溝６を形成し、切断された割れ目７は左右外方へ拡開・拡径された状態であればよい。
【００１３】
そして、この発明では、前記切断された既設管１の割れ目７が狭く、そのままでは既設管１と新設管５の間にスペーサ冶具（図示せず）を挿入しうる隙間が無い場合や、新設管５から既設管１が引き剥がせない場合に、簡単に割れ目を拡大することができるようにした。
【００１４】
本実施例では、拡開工具を用いて前記割れ目７の幅を広げている。
即ち、拡開工具１０は、図５および図６に示すように、中央に設けられて、先端が前記拡径された既設管１のガイド溝６に対応する外壁個所に衝合して屈曲部となると共に雄ねじが外周の一部または全部に刻設された支軸部１１と、該支軸部１１と交差するように伸び、中央に支軸部１１のねじと螺合する雌ねじを内周面に設けたナット状の螺合部１２ａを設け、支軸部１１の回転で支軸部１１に沿って昇降する昇降アーム１２と、先端に前記既設管１の割れ目７に沿った開口縁部７ａ、７ｂに掛止められる爪部１４を有する左右一対の作動アーム１３と、該作動アーム１３と昇降アーム１２との間に介設されて両端が作動アーム１３と昇降アーム１２に枢着Ｐ１、Ｐ２されたリンク部１５とからなる構造からなっている。
【００１５】
従って、切り裂かれた既設管の開口部を広げる場合には、拡開工具１０の支軸部１１の先端を既設管の内壁のガイド溝に対応する外壁に衝合させる。
図示例では、支軸部１１の先端は前記外壁に押し当てて拡開工具１０を支持すると共に屈曲の基準個所となるので、衝合箇所は面（図５、６）や点（図８参照）や線などで接触するものであればよい。
即ち、前記支軸部１１の先端は前記外壁に沿って隙間なく衝合するような湾曲面など任意の形状としてもよい。
そして、支軸部１１を回転させながら昇降アーム１２を支軸部１１に沿って昇降させ、作動アーム１３の先端の爪部１４を、既設管の割れ目に沿った縁部７ａ、７ｂにそれぞれ掛け止める。
【００１６】
次いで、前記支軸部１１を回転して昇降アーム１２を上昇させ、リンク部１５を介して作動アーム１３の爪部１４を外向きで斜め上方へ変位させることができるので、ガイド溝６を屈曲部として、前記割れ目７の開口に沿った縁部７ａ、７ｂを管径方向外方側に相対変位させて広げることができる。
【００１７】
そこで図７に示すように、前記既設管１に、一定間隔を隔てて拡開工具１０を取り付けて、それぞれの位置で割れ目７の開口を更に広げることで、内蔵された新設管５との隙間を広げることができ、既設管１と新設管５の間にスペーサー治具を挿入したり、または新設管５から既設管１を引きはがすことができ、所定範囲で既設管１を図１のように切断する等して新設管５から取り外すことができる。
【００１８】
このように、新設管１に分岐管２０を取り付けるような場合に、既設管１を切断し、または引きはがす前に、既設管１の割れ目７の開口に沿った縁部７ａ、７ｂを拡開工具１０を用い、ガイド溝６を屈曲部として管径方向外方側に相対変位させて広げる工程を設けることで、新設管５への管工事を確実に且つ容易に行うことができる。
【００１９】
上記実施例では、既設管の切断拡径具により軸線方向にガイド溝を形成する場合を例示したが、ガイド溝を形成しない場合には、割れ目７の中央の中心線と直径方向に対向する位置が切断拡径具における屈曲部とほぼ同じとなる。
そこで、前記既設管１の外壁で上記位置に対応する位置に支軸部１１の先端を衝合させればよい。
【００２０】
また、拡開工具１０は上記実施例の形状に限定されるものではなく、例えば図８に示すように、リンク部材を省略し、作動アーム１３を直接に昇降アーム１２に枢着する構成でもよく、要するに既設管１に形成されているガイド溝６を屈曲部とし、割れ目７の開口に沿った縁部７ａ、７ｂにそれぞれ切断拡径具による変位と同じ力を外側から加えて管径方向外方側に相対変位させて広げることができればよい。
その他、要するにこの発明の要旨を変更しない範囲で種々設計変更しうること勿論である。
【符号の説明】
【００２１】
１    既設管
２    切断拡径具
３    ガイド溝用のカッター
４    切り裂き用のカッター  
５    新設管
６    ガイド溝
７    割れ目
７ａ  一方の縁部
７ｂ  他方の縁部
８    拡径具
１０    拡開工具
１１    支軸部
１２ａ  螺合部
１２    昇降アーム
１４    爪部
１３    作動アーム
１５    リンク部
２０    分岐管
【図１】
2015178137.tif 000003
【図２】
2015178137.tif 000004
【図３】
2015178137.tif 000005
【図４】
2015178137.tif 000006
【図５】
2015178137.tif 000007
【図６】
2015178137.tif 000008
【図７】
2015178137.tif 000009
【図８】
2015178137.tif 000010